(57)【要約】【課題】河川に投下した場合に、海に流れ着くまでの間には溶解または分解して水没してしまい、水鳥、魚などが食することなく、また水鳥、魚などが食しても、障害をおこしたり、死滅にいたるようなことがなく、生態系に悪影響を及ぼすことなく、自然環境の破壊を極力防止することのできる流速測定用浮子を提供する。【解決手段】胴体部１を形成する紙管にキャップ２を嵌め込み、この胴体部１の上方に識別部３を継手４を介して取り付けた流速測定用浮子において、前記キャップ２、識別部３および継手４に、澱粉樹脂とポリビニルアルコールを混合成形してなる生分解性樹脂を用いたものとしている。【選択図】        図３
2004239694.tif 000002
【特許請求の範囲】
【請求項１】
胴体部（１）を形成する紙管にキャップ（２）を嵌め込み、この胴体部（１）の上方に識別部（３）を継手（４）を介して取り付けた流速測定用浮子において、前記キャップ（２）、識別部（３）および継手（４）に、澱粉樹脂とポリビニルアルコールを混合成形してなる生分解性樹脂を用いたことを特徴とする流速測定用浮子。
【請求項２】
前記澱粉樹脂が、コーンスターチを主成分としてなるものであることを特徴とする請求項１記載の流速測定用浮子。
【請求項３】
前記澱粉樹脂とポリビニルアルコールの混合割合が、４０重量％：６０重量％〜７０重量％：３０重量％であることを特徴とする請求項１記載の流速測定用浮子。
【発明の詳細な説明】
【０００１】
【発明の属する技術分野】
この発明は、例えば河川に投下して、或る一定区間を流れる時間から流速を測定する流速測定用浮子に関するものである。
【０００２】
【従来の技術】
従来、この種の流速測定用浮子は、例えば図４、５に示したように、胴体部１１を形成する紙管の両端にキャップ１２を嵌め込み、この胴体部１１の上方に識別部１３となる棒や旗を継手１４を介して取り付けたものとしている。そして、前記流速測定用浮子のキャップ１２、識別部１３および継手１４には、ビオノーレ（昭和高分子株式会社製の生分解性樹脂）を用い、自然環境の中で生分解するようにしている（非特許文献１）。
【０００３】
さらに、この種の流速測定用浮子は、例えば図６に示したように、前記した浮子と同様、胴体部２１を形成する紙管の両端にキャップ２２を嵌め込み、この胴体部２１の上方に識別部２３となる棒や旗を継手２４を介して取り付けることができるものとしている。そして、前記流速測定用浮子のキャップ２２、識別部２３および継手２４には、生分解性樹脂（ポリエステルカーボネート）を用い、自然環境の中で生分解するようにしている（非特許文献２）。
【０００４】
【非特許文献１】
流速測定用浮子、全添付図、「従来の浮子では」、「処分できます」、〔ｏｎｌｉｎｅ〕、〔平成１４年１２月１７日検索〕、インターネット＜ＵＲＬ：ｈｔｔｐ：／／ｗｗｗ．ｍｍｊｐ．ｏｒ．ｊｐ／ｋａｍｉｙａｍａ／ｓｅｉｓａｋｕ／ｕｋｉｋｏ．ｈｔｍ＞
【非特許文献２】
２００１マイゾックス製品情報ガイド、株式会社マイゾックス、平成１２年１２月、Ｖｏｌ．１８、ｐ１４２
【０００５】
【発明が解決しようとする課題】
しかしながら、上記従来の流速測定用浮子は、キャップ、識別部および継手に生分解性樹脂を用いているものの、その崩壊（加水分解）が遅く、河川の上流に投下した場合においても、海に流れ着くまでの間には溶解または分解して水没するようなことはなく、自然環境の中で生分解するといっても長期間かかるので、その期間の自然環境の破壊を防止することができない。すなわち、従来の流速測定用浮子は、流速測定後、水面浮遊したままで環境美化を損ねたり、水鳥、魚などが食するなどして、障害をおこしたり、死滅にいたることがあり、生態系に悪影響を及ぼすいう問題点を有していた。
【０００６】
そこで、この発明は、上記従来の問題点を解決することをその課題としており、流速測定用浮子のキャップ、識別部および継手に、生分解速度が極めて速く、また食しても無害な植物系生分解性樹脂を用いることにより、河川に投下した場合に、海に流れ着くまでの間には溶解または分解して水没してしまい、水鳥、魚などが食することなく、また水鳥、魚などが食しても、障害をおこしたり、死滅にいたるようなことがなく、生態系に悪影響を及ぼすことなく、自然環境の破壊を極力防止することのできる流速測定用浮子を提供することを目的としてなされたものである。
【０００７】
【課題を解決するための手段】
そのため、この発明の流速測定用浮子は、胴体部１を形成する紙管にキャップ２を嵌め込み、この胴体部１の上方に識別部３を継手４を介して取り付けた流速測定用浮子において、前記キャップ２、識別部３および継手４に、澱粉樹脂とポリビニルアルコールを混合成形してなる生分解性樹脂を用いたものとしている。
【０００８】
そして、この発明の流速測定用浮子は、前記澱粉樹脂が、コーンスターチを主成分としてなるとしている。
【０００９】
さらに、この発明の流速測定用浮子は、前記澱粉樹脂とポリビニルアルコールの混合割合が、４０重量％：６０重量％〜７０重量％：３０重量％であるものとしている。
【００１０】
【発明の実施の形態】
以下、この発明の流速測定用浮子の実施形態を、図面に基づいて詳細に説明する。
【００１１】
この発明の流速測定用浮子は、図１、２に示したように、胴体部１を形成する紙管にキャップ２を嵌め込み、この胴体部１の上方に識別部３を継手４を介して取り付けたものとしている。そして、前記キャップ２、識別部３および継手４は、澱粉樹脂とポリビニルアルコールを混合成形してなる生分解性樹脂を用いたものとしている。
【００１２】
胴体部１を形成する紙管の下部には、流水中において浮子を直立姿勢に保っておくための重り５を内蔵したものとしている。また、前記紙管は、１００％パルプを使用したものとしたり、１００％再生紙を使用したリサイクル品としたりしており、自然環境を破壊しないものとしている。
【００１３】
キャップ２は、胴体部１を形成する紙管の上下端を密封するものとしているが、前記紙管として有底管を使用した場合には、その紙管の上端の開口を密封するものとしている。
【００１４】
識別部３は、棒や旗などの形態としており、流速測定中に遠方からでも視認できるような色に着色したり、また夜間においても視認できるように発光塗料を塗布したものとすることができる。
【００１５】
継手４は、前記キャップ２と識別部３をつなぐためのものであり、キャップ２と一体的に設けたものとしても別体として設けたものとしてもよく、キャップ２や識別部３にねじ込んだり、差し込んだりできるようにしたものとすることができる。
【００１６】
澱粉樹脂は、澱粉（コーンスターチ）を主成分としてなるものとしており、実施の形態として示したものはコーンスターチの他に脂肪酸ポリエステルと結束剤を混合したものとしている。この実施の形態として示した澱粉樹脂は、コーンスターチを約７０重量％、脂肪族ポリエステルを約２０重量％、結束剤約１０重量％からなるものとしている。なお、澱粉樹脂は、天然高分子由来であるために完全生分解性であるが、成形性に劣り、単独では物性面において限界がある。
【００１７】
ポリビニルアルコールは、ポリ酢酸ビニルから調製される水溶性高分子であり、重合度が２０００までのものであれば完全生分解性となる。なお、このポリビニルアルコールは、水溶性であるが、生分解速度が遅い。
【００１８】
したがって、この発明の流速測定用浮子における生分解性樹脂は、澱粉樹脂とポリビニルアルコールを混合成形してなるものとし、物性面はポリビニルアルコールが澱粉樹脂を補い、生分解速度は澱粉樹脂がポリビニルアルコールを補うようにしている。そして、澱粉樹脂とポリビニルアルコールの混合割合を、４０重量％：６０重量％〜７０重量％：３０重量％にすることにより、成形性に優れ、物性面においても問題がないようにしている。さらに、流速測定後、約１〜２日で溶解して水面浮遊することなく水没し、汚泥中の微生物によって分解され、最終的には水と炭酸ガス等になるようにしている。なお、前記澱粉樹脂とポリビニルアルコールの混合割合を４０：６０または５０：５０にしたものは、約１日で溶解して水面浮遊することなく水没するものとなった。また、前記澱粉樹脂とポリビニルアルコールの混合割合を７０：３０にしたものは、約２日で溶解して水面浮遊することなく水没するものとなった。
【００１９】
【発明の効果】
この発明の流速測定用浮子は、以上に述べたように構成されており、河川に投下した場合に、海に流れ着くまでの間には溶解または分解して水没してしまい、水鳥、魚などが食することなく、また水鳥、魚などが食しても、障害をおこしたり、死滅にいたるようなことがないため、生態系に悪影響を及ぼすことなく、自然環境の破壊を極力防止することのできるものとなった。
【図面の簡単な説明】
【図１】この発明の流速測定用浮子の一実施形態を示す斜視図である。
【図２】この発明の流速測定用浮子の他実施形態を示す斜視図である。
【図３】図１に示すこの発明の流速測定用浮子の断面図である。
【図４】従来の流速測定用浮子の一例を示す斜視図である。
【図５】従来の流速測定用浮子の他の例を示す斜視図である。
【図６】従来の流速測定用浮子のさらに他の例を示す説明図である。
【符号の説明】
１  胴体部
２  キャップ
３  識別部
４  継手
【図１】
2004239694.tif 000003
【図２】
2004239694.tif 000004
【図３】
2004239694.tif 000005
【図４】
2004239694.tif 000006
【図５】
2004239694.tif 000007
【図６】
2004239694.tif 000008